(57)【要約】  効率的に傘を収容することができる傘立てを提供することを目的とする。傘立て(100)は、鉛直面内において傾斜した傾斜バー(110)を有しており、傾斜バー(110)は傘(150)の柄(151)を引っ掛けたときに傘(150)が地表(130)に届かない高さに配置されている。
2014061551.tif 000002
【特許請求の範囲】
【請求項１】
鉛直面内において傾斜した少なくとも１個の傾斜バーを有しており、前記傾斜バーは前記傾斜バーに傘の柄を引っ掛けたときに前記傘が地表に届かない高さに配置されている傘立て。
【請求項２】
前記傾斜バーは少なくともその上半分が円弧形状断面を有することを特徴とする請求項１に記載の傘立て。
【請求項３】
前記傾斜バーには、少なくともその下端において、前記傘が滑り落ちるのを止めるストッパーが形成されていることを特徴とする請求項１または２に記載の傘立て。
【請求項４】
前記傾斜バーの傾斜角度を変更する傾斜角度調節手段を備えることを特徴とする請求項１乃至３の何れか一項に記載の傘立て。
【請求項５】
前記傾斜バーはその長さ方向に伸縮可能であることを特徴とする請求項１乃至４の何れか一項に記載の傘立て。
【請求項６】
２個の前記傾斜バーを備え、これら２個の前記傾斜バーはＶ字型形状をなしていることを特徴とする請求項１乃至５の何れか一項に記載の傘立て。
【請求項７】
２個の前記傾斜バーを備え、これら２個の前記傾斜バーは逆Ｖ字型形状をなしていることを特徴とする請求項１乃至５の何れか一項に記載の傘立て。
【請求項８】
前記傾斜バーの下方または前記傾斜バーの下方であって前記傾斜バーよりも前側及び奥側の少なくとも何れか一方に形成されたガイドバーをさらに備えることを特徴とする請求項１乃至７の何れか一項に記載の傘立て。
【請求項９】
前記傾斜バーに対して摺動自在であるように前記傾斜バーに取り付けられたフック部材をさらに備えることを特徴とする請求項１乃至８の何れか一項に記載の傘立て。
【請求項１０】
前記傾斜バーにはその下縁において長さ方向に延びる開口部が形成されており、
前記フック部材は、前記開口部に挟まれた状態で前記開口部に沿って摺動可能な主軸と、前記主軸の上端に形成された抜け止め部であって、前記開口部に挟まらない大きさを有し、前記開口部の中に位置する抜け止め部と、前記主軸の下端に形成されたフックと、からなるものであることを特徴とする請求項９に記載の傘立て。
【請求項１１】
前記フック部材は、前記傾斜バーの外径よりも大きい内径を有するリング部材と、前記リング部材に設けられたフックと、からなるものであることを特徴とする請求項９に記載の傘立て。
【請求項１２】
前記傾斜バーにはその下縁において長さ方向に延びる開口部が形成されており、
前記フック部材は、前記開口部に挟まれた状態で前記開口部に沿って摺動可能な主軸と、前記主軸の上端に形成された抜け止め部であって、前記開口部に挟まらない大きさを有し、前記開口部の中に位置する抜け止め部と、前記主軸の下端に形成された傘収納用のバッグと、からなるものであることを特徴とする請求項９に記載の傘立て。
【請求項１３】
前記フック部材は、前記傾斜バーの外径よりも大きい内径を有するリング部材と、前記リング部材に取り付けられた傘収納用のバッグと、からなるものであることを特徴とする請求項９に記載の傘立て。
【請求項１４】
前記主軸は前記抜け止め部に対して回動可能であることを特徴とする請求項１０または１２に記載の傘立て。
【請求項１５】
前記傾斜バーの上端に接続され、水平方向に延びる水平バーをさらに備えることを特徴とする請求項１０乃至１４の何れか一項に記載の傘立て。
【請求項１６】
前記リング部材には切り欠きが形成されており、前記傾斜バーには前記切り欠きが通過可能な凸部が形成されていることを特徴とする請求項１１または１３に記載の傘立て。
【請求項１７】
少なくとも２個の前記傾斜バーを備えており、
前記傾斜バーの各々はその一端において支持バーの上端において支持されており、
隣接する前記支持バーの間には側壁が掛け渡されており、前記側壁には外側に向かって突出するフックが形成されていることを特徴とする請求項１乃至１６の何れか一項に記載の傘立て。
【請求項１８】
前記傾斜バーはその一端において１個の支持バーの上端において支持されていることを特徴とする請求項１乃至１６の何れか一項に記載の傘立て。
【請求項１９】
前記支持バーは高さが調節可能であることを特徴とする請求項１８に記載の傘立て。
【請求項２０】
前記傾斜バーの下方には当該傾斜バーに掛けられた傘から落下する雨滴を収納する収納容器が配置されており、
前記傾斜バーはその長さ方向に伸縮可能であり、
前記収納容器はその長さ方向に伸縮可能であることを特徴とする請求項１８または１９に記載の傘立て。
【発明の詳細な説明】
【技術分野】
【０００１】
本発明は傘立てに関する。
【背景技術】
【０００２】
傘立ての一つとして特開２０００−２２５０５０号公報に記載されたものがある。【０００３】
図２１は同公報に記載された傘立ての斜視図、図２２は傘を立てた状態の同傘立ての部分的側面図である。【０００４】
図２１及び図２２に示すように、この傘立て１は、傘立て本体１０と、傘立て本体１０の上部に設けられた取り付け部１１に取り付けられた複数個の保持ブロック２と、から構成されている。【０００５】
各保持ブロック２は一体成形された４個の保持体２０を備えており、各保持体２０は、傘Ｐを挿入可能であり、上部開口を傘挿入孔２４として有する筒状部２１と、傘挿入孔２４の周縁から外側に向かって突出しているフランジ部２２と、から構成されている。【０００６】
各保持ブロック２は傘立て本体１０の上部の取り付け部１１に傾斜した状態で取り付けられている。筒状部２１とフランジ部２２とは相互に傾斜しており、筒状部２１は、保持ブロック２を傘立て本体１０の取り付け部１１に取り付けたときに、鉛直方向に延びるようになっている。
【先行技術文献】
【特許文献】
【０００７】
【特許文献１】特開２０００−２２５０５０号公報
【発明の開示】
【発明が解決しようとする課題】
【０００８】
図２１及び図２２に示した従来の傘立て１においては、傘挿入孔２４に傘Ｐが挿入されるが、傘挿入孔２４の数は限定されているため、傘立て本体１０の面積（上方投影面積）に対して、少ない数の傘Ｐしか収納することができない。すなわち、従来の傘立て１は傘立て本体１０の面積が効率的に利用されているとは言い難いものであった。【０００９】
本発明はこのような従来の傘立てにおける問題点に鑑みてなされたものであり、最小の面積で最大数の傘を効率的に収納することができる傘立てを提供することを目的とする。
【課題を解決するための手段】
【００１０】
上記の目的を達成するため、本発明は、鉛直面内において傾斜した少なくとも１個の傾斜バーを有しており、前記傾斜バーは前記傾斜バーに傘の柄を引っ掛けたときに前記傘が地表に届かない高さに配置されている傘立てを提供する。【００１１】
前記傾斜バーは少なくともその上半分が円弧形状断面を有することが好ましい。【００１２】
前記傾斜バーには、少なくともその下端において、前記傘が滑り落ちるのを止めるストッパーが形成されていることが好ましい。【００１３】
本発明に係る傘立ては前記傾斜バーの傾斜角度を変更する傾斜角度調節手段を備えることが好ましい。【００１４】
前記傾斜バーはその長さ方向に伸縮可能であることが好ましい。【００１５】
本発明に係る傘立ては２個の前記傾斜バーを備えることができ、この場合、これら２個の前記傾斜バーはＶ字型形状をなしていることが好ましい。【００１６】
本発明に係る傘立ては２個の前記傾斜バーを備え、この場合、これら２個の前記傾斜バーは逆Ｖ字型形状をなしていることが好ましい。【００１７】
本発明に係る傘立ては、前記傾斜バーの下方または前記傾斜バーの下方であって前記傾斜バーよりも前側及び奥側の少なくとも何れか一方に形成されたガイドバーをさらに備えることが好ましい。【００１８】
前記傾斜バーに対して摺動自在であるように前記傾斜バーに取り付けられたフック部材をさらに備えることが好ましい。【００１９】
前記傾斜バーにはその下縁において長さ方向に延びる開口部が形成されており、前記フック部材は、前記開口部に挟まれた状態で前記開口部に沿って摺動可能な主軸と、前記主軸の上端に形成された抜け止め部であって、前記開口部に挟まらない大きさを有し、前記開口部の中に位置する抜け止め部と、前記主軸の下端に形成されたフックと、からなるものであることが好ましい。【００２０】
前記フック部材は、前記傾斜バーの外径よりも大きい内径を有するリング部材と、前記リング部材に設けられたフックと、からなるものであることが好ましい。【００２１】
前記傾斜バーにはその下縁において長さ方向に延びる開口部が形成されており、前記フック部材は、前記開口部に挟まれた状態で前記開口部に沿って摺動可能な主軸と、前記主軸の上端に形成された抜け止め部であって、前記開口部に挟まらない大きさを有し、前記開口部の中に位置する抜け止め部と、前記主軸の下端に形成された傘収納用のバッグと、からなるものであることが好ましい。【００２２】
前記フック部材は、前記傾斜バーの外径よりも大きい内径を有するリング部材と、前記リング部材に取り付けられた傘収納用のバッグと、からなるものであることが好ましい。【００２３】
前記主軸は前記抜け止め部に対して回動可能であることが好ましい。【００２４】
本発明に係る傘立ては、前記傾斜バーの上端に接続され、水平方向に延びる水平バーをさらに備えることが好ましい。【００２５】
前記リング部材には切り欠きが形成されており、前記傾斜バーには前記切り欠きが通過可能な凸部が形成されていることが好ましい。【００２６】
本発明に係る傘立ては、少なくとも２個の前記傾斜バーを備えており、前記傾斜バーの各々はその一端において支持バーの上端において支持されており、隣接する前記支持バーの間には側壁が掛け渡されており、前記側壁には外側に向かって突出するフックが形成されていることが好ましい。【００２７】
前記傾斜バーはその一端において１個の支持バーの上端において支持されていることが好ましい。【００２８】
前記支持バーは高さが調節可能であることが好ましい。【００２９】
前記傾斜バーの下方には当該傾斜バーに掛けられた傘から落下する雨滴を収納する収納容器が配置されており、前記傾斜バーはその長さ方向に伸縮可能であり、前記収納容器はその長さ方向に伸縮可能であることが好ましい。
【発明の効果】
【００３０】
本発明に係る傘立てにおいて、傘の柄（通常、Ｊ字型形状をなしている）を傾斜バーの任意の位置に引っ掛けると、傘は自重によって、傾斜バーに沿って下方に、すなわち、傾斜バーの上端から下端に向かって滑り落ちる。このように、傾斜バーの任意の位置に引っ掛けた傘は自然に傾斜バーの下端に向かって滑り落ちるため、複数の傘を傾斜バーに引っ掛ければ、それらの傘は傾斜バーの下端を始点として、傾斜バーの上端に向かって列をなした状態で収容されることになる。【００３１】
このように、本発明に係る傘立てによれば、１本の傾斜バーに対して、傾斜バーの全長に応じた数の傘を収容することができ、その結果として、多数の傘を効率的に収容することが可能である。
【図面の簡単な説明】
【００３２】
【図１】図１（Ａ）は本発明の第一の実施形態に係る傘立ての正面図、図１（Ｂ）は図１（Ａ）のＡ−Ａ線における断面図である。
【図２】複数個のストッパーを有する本発明の第一の実施形態に係る傘立ての部分的正面図である。
【図３】図３（Ａ）は２個の傾斜バーを備える傘立ての側面図であり、図３（Ｂ）は部分的な正面図である。
【００３３】
【図４】傾斜バーを１本の支持バーでのみ支持した傘立ての正面図である。
【図５】図４に示した傘立ての変更例の正面図である。
【図６】本発明の第二の実施形態に係る傘立ての正面図である。
【図７】本発明の第二の実施形態に係る傘立ての変形例に係る傘立ての正面図である。
【図８】図７に示した傘立てにおける支持バーと傾斜バーとの連結状態を示す平面図である。
【図９】本発明の第三の実施形態に係る傘立ての正面図である。
【図１０】本発明の第三の実施形態に係る傘立ての変形例に係る傘立ての正面図である。
【図１１】図１０のＢ−Ｂ線における断面図である。
【図１２】本発明の第四の実施形態に係る傘立ての正面図である。
【図１３】本発明の第四の実施形態の変形例に係る傘立ての正面図である。
【図１４】図１４（Ａ）は本発明の第五の実施形態に係る傘立ての正面図であり、図１４（Ｂ）はその側面図である。
【図１５】本発明の第六の実施形態に係る傘立ての正面図である。
【図１６】本発明の第六の実施形態における傾斜バー及びフック部材の縦断面図である。
【図１７】本発明の第六の実施形態における傾斜バー及びフック部材の変形例の縦断面図である。
【図１８】本発明の第六の実施形態における傾斜バー及びフック部材の変形例の縦断面図である。
【図１９】図１９（Ａ）は本発明の第七の実施形態に係る傘立てにおけるフック部材の縦断面図であり、図１９（Ｂ）は本実施形態におけるフック部材を上方から見た場合の平面図である。
【図２０】図２０（Ａ）は本発明の第八の実施形態に係る傘立てにおけるフック部材の縦断面図であり、図２０（Ｂ）は本発明の第八の実施形態に係る傘立ての正面図である。
【図２１】従来の傘立ての斜視図である。
【図２２】従来の傘立ての部分的側面図である。
【発明を実施するための最良の形態】
【００３４】
（第一の実施形態）
図１（Ａ）は本発明の第一の実施形態に係る傘立て１００の正面図、図１（Ｂ）は図１（Ａ）のＡ−Ａ線における断面図である。【００３５】
本実施形態に係る傘立て１００は、鉛直面内において傾斜している傾斜バー１１０と、鉛直方向に延び、上端において傾斜バー１１０の両端を支持する２本の支持バー１２１、１２２と、支持バー１２１、１２２の下端が固定されているベース１３０と、から構成されている。【００３６】
図１（Ａ）に示すように、傾斜バー１１０は右側が上方になるように傾斜している。【００３７】
傾斜バー１１０の下端（左側端部）には、上方に突出している凸状のストッパー１１１が形成されている。【００３８】
また、図１（Ｂ）に示すように、傾斜バー１１０は円形断面を有している。【００３９】
ベース１３０は長方形形状をなしており、図１（Ｂ）に示すように、周縁には側壁１３１が形成されており、傘から垂れる雨水を収容する収容容器として機能する。【００４０】
上記のような構造を有する本実施形態に係る傘立て１００は以下のように使用される。【００４１】
傘１５０の柄１５１（通常、Ｊ字型形状をなしている）を傾斜バー１１０の任意の位置に引っ掛けると、傘１５０は自重によって、傾斜バー１１０に沿って下方に、すなわち、傾斜バー１１０の上端（右側端部）から下端（左側端部）に向かって滑り落ちる。【００４２】
このため、傘１５０が滑り落ちている間に傘１５０の下端がベース１３０に接触することを防止するため、傾斜バー１１０は、任意の位置（特に、下端）に傘１５０を引っ掛けたときに、傘１５０の下端がベース１３０に接しないような高さに配置されている。【００４３】
傾斜バー１１０の下端にはストッパー１１１が形成されているため、傾斜バー１１０に沿って滑り落ちる傘１５０はストッパー１１１に当たった時点において停止する。【００４４】
このように、傾斜バー１１０の任意の位置に引っ掛けた傘１５０は自然に傾斜バー１１０の下端のストッパー１１１まで滑り落ちるため、複数の傘１５０を傾斜バー１１０に引っ掛ければ、それらの傘１５０は傾斜バー１１０の下端のストッパー１１１を始点として、傾斜バー１１０の上端に向かって列をなした状態で収容されることになる。【００４５】
このように、本実施形態に係る傘立て１００によれば、１本の傾斜バー１１０に対して、傾斜バー１１０の全長に応じた数の傘１５０を収容することができ、その結果として、多数の傘１５０を効率的に収容することが可能である。【００４６】
本実施形態に係る傘立て１００は上記の構造に限定されるものではなく、種々の改変が可能である。【００４７】
本実施形態に係る傘立て１００は１個の傾斜バー１１０を有するものとして構成されているが、傾斜バー１１０の個数は１には限定されない。本実施形態に係る傘立て１００は２個以上の傾斜バー１１０を有するものとして構成することが可能であり、その場合、例えば、それらの傾斜バー１１０は相互に平行に配置し、あるいは、各傾斜バー１１０の高さを変えて段違いに配置することも可能である。【００４８】
また、本実施形態に係る傘立て１００においては、傾斜バー１１０は円形断面を有するものとして構成されているが、傾斜バー１１０の縦断面は任意のものを選択することができる。例えば、傾斜バー１１０の縦断面は多角形の他に、直線と曲線を組み合わせた断面とすることも可能である。【００４９】
また、傾斜バー１１０の上半分が円弧形状断面を有するものであれば、下半分の断面形状は任意のものとすることが可能である。例えば、傾斜バー１１０の縦断面の上半分を半円形状、下半分を多角形とすることも可能である。【００５０】
また、本実施形態に係る傘立て１００は傾斜バー１１０の下端に１個のストッパー１１１を有するものとして構成されているが、ストッパー１１１の数は１には限定されない。傘立て１００は２以上のストッパー１１１を有するものとして構成することが可能である。【００５１】
図２は複数個のストッパー１１１を有する傘立て１００の部分的正面図である。【００５２】
図２に示すように、傘立て１００の長さ方向に等間隔にストッパー１１１を設けることが可能である。この場合、各ストッパー１１１で挟まれた領域１１２毎に傘１５０を収納する収納領域が形成されることになる。【００５３】
また、本実施形態に係る傘立て１００においては、ストッパー１１１を凸状体として形成しているが、凸状体に代えて、ストッパー１１１を壁状のものとして構成することも可能である。例えば、傾斜バー１１０の下端に支持バー１２２に沿って傾斜バー１１０から下方に延びる壁を形成することにより、傾斜バー１１０に沿って滑り落ちてきた傘１５０をストッパー１１１としての壁で止めることが可能である。【００５４】
通常、折り畳み傘はＪ字型の柄１５１を有していないため、本実施形態に係る傘立て１００に収納することができない。そのような場合には、予め、傾斜バー１１０にＳ字型フックを掛けておけば、そのＳ字型フックに折り畳み傘を引っ掛けておくことができる。【００５５】
図３（Ａ）は２個の傾斜バー１１０を備える傘立て１００Ａの側面図であり、図３（Ｂ）は傘立て１００Ａの部分的な正面図である。【００５６】
２個の傾斜バー１１０はそれぞれ同一高さの支持バー１２１に支持されている。２個の支持バー１２１の間には側壁１４０が掛け渡されている。側壁１４０には外側に向かって突出する複数個のフック１４１が形成されている。【００５７】
これらのフック１４１には折り畳み傘を引っ掛けておくことが可能である。【００５８】
あるいは、側壁１４０をメッシュ状の部材で形成し、メッシュの各開口にＳ字型フックを掛けておけば、そのＳ字型フックに折り畳み傘を引っ掛けておくことができる。【００５９】
本実施形態に係る傘立て１００においては、傾斜バー１１０はその両端において２本の支持バー１２１、１２２に支持されているが、傾斜バー１１０を３本以上の支持バーにより支持することも可能である。あるいは、傾斜バー１１０を２本の支持バー１２１、１２２の何れか一方により支持することも可能である。【００６０】
図４は傾斜バー１１０を１本の支持バー１２２でのみ支持した傘立て１００Ｂの正面図である。【００６１】
図４に示すように、傾斜バー１１０をその一端においてのみ支持する構造の片持ちばり的に支持することも可能である。【００６２】
また、傾斜バー１１０を１本の支持バーで支持する場合、傾斜バー１１０の一端のみならず、傾斜バー１１０の任意の点で支持することが可能である。例えば、図４に示すように、傾斜バー１１０の中央において支持バー１２３（破線で示す）で支持することも可能である。【００６３】
図５は、図４に示した傘立て１００Ｂの変更例の正面図である。【００６４】
傾斜バー１１０を１本の支持バー１２２で支持する場合には、支持バー１２２の高さを調節可能に構成することが可能である。【００６５】
図５に示すように、支持バー１２２は、下端がベース１３０に固定されている第一支持バー１２２Ａと、上端が傾斜バー１１０に固定されている第二支持バー１２２Ｂと、ボルト１２２Ｃと、から構成されている。【００６６】
第二支持バー１２２Ｂは中空に形成されており、第一支持バー１２２Ａは第二支持バー１２２Ｂの内部に嵌合可能な大きさを有している。第二支持バー１２２Ｂの下端の近辺には雌ネジ孔が形成されており、この雌ネジ孔にボルト１２２Ｃを締め込むことにより、第二支持バー１２２Ｂを第一支持バー１２２Ａに対して固定させることができる。【００６７】
ボルト１２２Ｃを緩めた後、第二支持バー１２２Ｂを所望の長さに伸縮させ、その地点において、ボルト１２２Ｃを締め込むことにより、第二支持バー１２２Ｂを第一支持バー１２２Ａに対して固定することができ、ひいては、支持バー１２２の全高を変更することができる。【００６８】
このように、本変形例に係る傘立て１００Ｃによれば、支持バー１２２ひいては傾斜バー１１０の高さを変更することが可能であり、傘１５０を引っ掛けやすい高さに傾斜バー１１０を位置させることができる。【００６９】
（第二の実施形態）
図６は本発明の第二の実施形態に係る傘立て２００の正面図である。【００７０】
本実施形態に係る傘立て２００においては、傾斜バー１１０の上端を支持している支持バー１２１は伸縮自在に形成されており、支持バー１２１の長さを変えることにより、傾斜バー１１０の傾斜角度を変更することが可能である。【００７１】
具体的には、本実施形態における支持バー１２１は、図６に示すように、下端がベース１３０に固定されている下部支持バー１２１Ａと、下部支持バー１２１Ａが嵌合可能な中空の上部支持バー１２１Ｂと、上部支持バー１２１Ｂに形成された雌ネジ孔に螺合することにより、上部支持バー１２１Ｂを下部支持バー１２１Ａに対して固定するボルト１２１Ｃと、から構成されている。【００７２】
ボルト１２１Ｃを緩めた後、上部支持バー１２１Ｂを所望の高さに上下させ、その地点において、ボルト１２１Ｃを締め込むことにより、上部支持バー１２１Ｂを下部支持バー１２１Ａに対して固定することができ、ひいては、支持バー１２１の高さを変更することができる。【００７３】
傾斜バー１１０はその上端においてピン１２３を介して上部支持バー１２１Ｂに回動自在に取り付けられており、さらに、その下端においてピン１２４を介して支持バー１２２に回動自在に取り付けられている。【００７４】
傾斜バー１１０の上端にはピン１２４を中心とする円の一部としての円弧状の孔１１４が形成されており、ピン１２３は円弧状の孔１１４の内部を移動する。【００７５】
このように、本実施形態に係る傘立て２００によれば、支持バー１２１の高さを任意の高さに変更することが可能であり、支持バー１２２の高さは不変であるため、傾斜バー１１０の傾斜角度を所望の角度に変更することが可能である。具体的には、傾斜バー１１０の傾斜角度を変えることにより、傘１５０が傾斜バー１１０を滑り落ちる速度を変えることが可能である。【００７６】
図７は本実施形態に係る傘立て２００の変形例に係る傘立て２００Ａの正面図である。【００７７】
本変形例に係る傘立て２００Ａにおいては、傘立て１００Ｂ（図４参照）または傘立て１００Ｃ（図５参照）と同様に、傾斜バー１１０はその一端において１本の支持バー１２２に支持され、かつ、支持バー１２２に対して回動可能に取り付けられている。【００７８】
図８は支持バー１２２と傾斜バー１１０との連結状態を示す平面図である。【００７９】
図８に示すように、支持バー１２２の上端には、相互に平行な２個のフランジ１２５が間隔を開けて形成されており、各フランジ１２５には同一の中心線を有する貫通孔が形成されている。【００８０】
傾斜バー１１０は２個のフランジ１２５の間に挟まる厚さを有している。傾斜バー１１０には、傾斜バー１１０を２個のフランジ１２５の間に挟んだときに、各フランジ１２５の貫通孔に中心線が合致する雌ネジ孔が形成されている。【００８１】
支持バー１２２と傾斜バー１１０とは以下のように連結される。【００８２】
傾斜バー１１０を２個のフランジ１２５の間に挟んだ後、ボルト１２６を一方のフランジ１２５の貫通孔に通し、傾斜バー１１０の雌ネジ孔に螺合させ、さらに、他方のフランジ１２５の貫通孔を通過させる。その後、他方のフランジ１２５から突出しているボルト１２６の雄ネジをナット１２７で締め付ける。これにより、傾斜バー１１０は支持バー１２２に対して所定の角度で傾斜した状態で支持バー１２２に固定される。【００８３】
以上のように、傾斜バー１１０を１本の支持バー１２２で支持する場合にも、傾斜バー１１０の傾斜角度を所望の角度に変更することが可能である。【００８４】
（第三の実施形態）
図９は本発明の第三の実施形態に係る傘立て３００の正面図である。【００８５】
本実施形態に係る傘立て３００においては、傾斜バー１１０は伸縮自在に形成されており、傾斜バー１１０の全長を変えることが可能である。【００８６】
具体的には、本実施形態における傘立て３００は、図４に示すように、追加バー３１０を備えている。【００８７】
本実施形態においては、傾斜バー１１０は中空に形成されており、追加バー３１０は傾斜バー１１０の内部に嵌合可能である。傾斜バー１１０の下縁には雌ネジ孔が形成されており、この雌ネジ孔にボルト３１１を締め込むことにより、追加バー３１０を傾斜バー１１０に対して固定させることができる。【００８８】
ボルト３１１を緩めた後、追加バー３１０を所望の長さに伸縮させ、その地点において、ボルト３１１を締め込むことにより、追加バー３１０を傾斜バー１１０に対して固定することができ、ひいては、傾斜バー１１０の全長を変更することができる。【００８９】
このように、本実施形態に係る傘立て３００によれば、傾斜バー１１０の全長を変更することが可能であり、傾斜バー１１０に引っ掛ける傘１５０の本数を調節することが可能である。【００９０】
図１０は本実施形態に係る傘立て３００の変形例に係る傘立て３００Ａの正面図である。【００９１】
本変形例に係る傘立て３００Ａにおいては、傾斜バー１１０の全長の変更に応じてベース１３０の全長を変更することが可能である。【００９２】
本変形例に係る傘立て３００Ａにおいては、傘立て１００Ｂ（図４参照）または傘立て１００Ｃ（図５参照）と同様に、傾斜バー１１０はその一端において１本の支持バー１２２に支持されている。【００９３】
さらに、ベース１３０は、支持バー１２２の下端が固定されている第一ベース１３２と、第一ベース１３２に対して水平方向にスライド可能に連結されている第二ベース１３３と、から構成されている。【００９４】
図１１は図１０のＢ−Ｂ線における断面図であり、第一ベース１３２と第二ベース１３３との連結状況を示している。【００９５】
図１１に示すように、第二ベース１３３の上端には外側に突出するフランジ１３３Ａが形成されており、第一ベース１３２の上端にはフランジ１３３Ａが嵌合可能な凹部１３２Ａが形成されている。フランジ１３３Ａが凹部１３２Ａに嵌合することにより、第二ベース１３３は第一ベース１３２に対してスライドすることができるようになっている。【００９６】
このように、本変形例に係る傘立て３００Ａによれば、傾斜バー１１０の長さを伸ばせば、それに応じて、ベース１３０の長さを伸ばすことができ、傘１５０から滴下する雨水を確実にベース１３０内に収容することができる。【００９７】
（第四の実施形態）
図１２は本発明の第四の実施形態に係る傘立て４００の正面図である。【００９８】
第一の実施形態に係る傘立て１００における傾斜バー１１０は直線状に構成されているが、本実施形態に係る傘立て４００においては、図１２に示すように、２本の傾斜バー１１０、１１０ＡをＶ字型に配置している。【００９９】
第一の実施形態に係る傘立て１００においては、傘１５０は傘立て１００の上端（右側端部）付近に（正確には、既に傘立て１００に引っ掛けられている傘１５０よりも高い位置に）引っ掛けることが要求されるが、本実施形態に係る傘立て４００によれば、２本の傾斜バー１１０、１１０ＡをＶ字型に配置することにより、傘立て４００の左右どちらかからでも、傘１５０を引っ掛けることが可能である。【０１００】
本実施形態に係る傘立て４００においては、傘１５０はＶ字の最下点に滑り落ち、そこで止まるので、第一の実施形態におけるストッパー１１１を設ける必要はない。【０１０１】
図１３は本実施形態に係る傘立て４００の変形例に係る傘立て４５０の正面図である。【０１０２】
図１３に示すように、２本の傾斜バー１１０、１１０Ｂを逆Ｖ字型に配置することも可能である。【０１０３】
本変形例によれば、傘立て４５０の中央付近（２本の傾斜バー１１０、１１０Ｂの境界付近）に傘１５０を引っ掛ければ、傘１５０は２本の傾斜バー１１０、１１０Ｂの何れかに沿って滑り落ちることになり、傘１５０を２本の傾斜バー１１０、１１０Ｂの何れかに分散させることができる。【０１０４】
（第五の実施形態）
図１４（Ａ）は本発明の第五の実施形態に係る傘立て５００の正面図、図１４（Ｂ）は傘立て５００の側面図である。【０１０５】
本実施形態に係る傘立て５００は、第一の実施形態に係る傘立て１００と比較して、ガイドバー５１０を追加的に備えている。【０１０６】
ガイドバー５１０は二つの支持バー１２１、１２２の間において傾斜バー１１０と平行に延びている。ガイドバー５１０は、傾斜バー１１０の下方であって、傾斜バー１１０よりも奥側（図１４（Ｂ）においては右側）に取り付けられている。【０１０７】
傘１５０の柄１５１を傾斜バー１１０に引っ掛けた場合、傘１５０が傾斜バー１１０を中心として前後方向（図１４（Ｂ）の左右方向）に揺れる場合があり、そのような場合、傘１５０の先端（図１４（Ｂ）においては下端）から垂れ落ちる雨水がベース１３０の外に落下することがある。【０１０８】
ガイドバー５１０を設けることにより、そのような傘１５０の揺れを防止することが可能であり、傘１５０から垂れ落ちる雨水を確実にベース１３０内に落下させることができる。【０１０９】
本実施形態に係る傘立て５００においては、ガイドバー５１０は傾斜バー１１０よりも奥側に取り付けられているが、傾斜バー１１０よりも前側（図１４（Ｂ）においては左側）取り付けても同様の効果を得ることができる。あるいは、ガイドバー５１０を傾斜バー１１０の奥側と前側の双方に取り付けることも可能である。【０１１０】
あるいは、ガイドバー５１０は傾斜バー１１０の直下に配置することも可能である。【０１１１】
（第六の実施形態）
図１５は本発明の第六の実施形態に係る傘立て６００の正面図である。【０１１２】
本実施形態に係る傘立て６００は、第一の実施形態に係る傘立て１００と比較して、傾斜バー１１０に対して摺動自在であるように傾斜バー１１０に取り付けられたフック部材６１０をさらに備えている。【０１１３】
図１６は傾斜バー１１０及びフック部材６１０の縦断面図である。【０１１４】
本実施形態においては、傾斜バー１１０は中空の円筒形部材からなり、その下縁には長さ方向に延びる開口部１１３が形成されている。【０１１５】
フック部材６１０は、開口部１１３に挟まれた状態で開口部１１３に沿って摺動可能な主軸６１１と、主軸６１１の上端に形成され、開口部１１３に挟まらない大きさを有し、開口部１１３の中に位置する抜け止め部６１２と、主軸６１１の下端に形成されたフック６１３と、から形成されている。【０１１６】
主軸６１１が開口部１１３に沿ってスライドすることにより、フック部材６１０は傾斜バー１１０に沿って滑り落ちる。このため、フック部材６１０のフック６１３に傘１５０を引っ掛けることにより、第一の実施形態に係る傘立て１００と同様の効果を得ることができる。さらに、フック６１３には、Ｊ字型の柄１５１を有する傘１５０のみならず、Ｊ字型の柄１５１を有していない折り畳み式の傘（通常、柄にはリング状の紐がついている）をも引っ掛けることが可能である。【０１１７】
また、図１５に示すように、本実施形態に係る傘立て６００は、傾斜バー１１０の上端に接続され、水平方向に延びる水平バー６２０をさらに備えている。【０１１８】
フック部材６１０は、傘１５０を引っ掛けていない場合であっても、その自重によって、常に傾斜バー１１０の下端まで滑り落ちている状態にある。このため、フック部材６１０に傘１５０を引っ掛ける場合には、フック部材６１０を傾斜バー１１０に沿って引き上げることが必要となる。【０１１９】
傾斜バー１１０と連続する水平バー６２０を設けることにより、使用前のフック部材６１０を水平バー６２０に止めておくことが可能になり、フック部材６１０を傾斜バー１１０に沿って引き上げる作業は不要となる。【０１２０】
図１７は傾斜バー１１０及びフック部材６１０の変形例の縦断面図である。【０１２１】
図１６に示したフック部材６１０においては、主軸６１１は抜け止め部６１２に対して固定されているが、図１７に示すように、主軸６１１を抜け止め部６１２に対して回動自在に構成することも可能である。【０１２２】
例えば、抜け止め部６１２には主軸６１１を通すことができる貫通孔６１６が形成されており、主軸６１１はその貫通孔６１６に嵌め込まれており、主軸６１１の上端には貫通孔６１６から抜け出ることを防止するためのフランジ部６１７が形成されている。【０１２３】
このように、主軸６１１を抜け止め部６１２に対して回動自在に構成することにより、フック６１３をも回動させることが可能になり、傘１５０をフック６１３に掛けやすい向きまでフック６１３を回動させることができる。【０１２４】
図１８は傾斜バー１１０及び変形例に係るフック部材６１０Ａの縦断面図である。【０１２５】
本変形例に係るフック部材６１０Ａは、傾斜バー１１０の外径よりも大きい内径を有するリング部材６１４と、リング部材６１４に設けられたフック６１５と、から構成されている。【０１２６】
本変形例に係るフック部材６１０Ａにおいては、リング部材６１４が傾斜バー１１０（本変形例における傾斜バー１１０は第六の実施形態における傾斜バー１１０とは異なり、中空である必要はなく、中実であってもよい）に沿って滑り落ちる。このため、フック部材６１０Ａのフック６１５に傘１５０を引っ掛けることにより、第一の実施形態に係る傘立て１００と同様の効果を得ることができる。さらに、フック６１５には、Ｊ字型の柄１５１を有する傘１５０のみならず、Ｊ字型の柄１５１を有していない折り畳み式の傘をも引っ掛けることが可能である。【０１２７】
また、フック６１５はリング部材６１４に対して回動可能に取り付けることも可能である。これにより、図１７に示したフック部材６１０と同様の効果を奏する。【０１２８】
（第七の実施形態）
図１９（Ａ）は本発明の第七の実施形態に係る傘立てにおけるフック部材７１０の縦断面図であり、図１９（Ｂ）は本実施形態におけるフック部材７１０を上方から見た場合の平面図である。【０１２９】
図１８（Ａ）に示すように、本実施形態におけるフック部材７１０は、第六の実施形態におけるフック部材６１０（図１６参照）におけるフック６１３に代えて、傘収納用のバッグ７１３を備えている。この点を除いて、本実施形態に係る傘立ては第六の実施形態に係る傘立て６００と同一の構造を有している。【０１３０】
バッグ７１３には、Ｊ字型形状の柄１５１を有する傘１５０のみならず、Ｊ字型形状の柄１５１を有していない傘、折り畳み式の傘その他あらゆる形状の傘を収納することが可能である。このため、本実施形態に係る傘立てによっても、第一の実施形態に係る傘立て１００と同様の効果を得ることができる。【０１３１】
また、本実施形態におけるフック部材７１０においても、図１７に示したフック部材６１０の変形例と同様に、主軸６１１を抜け止め部６１２に対して回動自在に構成することも可能である。【０１３２】
なお、図１８に示したフック部材６１０Ａのフック６１５に代えて、傘収納用のバッグ７１３を用いることも可能である。【０１３３】
（第八の実施形態）
図２０（Ａ）は本発明の第八の実施形態に係る傘立て８００におけるフック部材８１０の縦断面図であり、図２０（Ｂ）は本実施形態に係る傘立て８００の正面図である。【０１３４】
図２０（Ａ）に示すように、本実施形態におけるフック部材８１０は、図１８に示したフック部材６１０Ａと比較して、リング部材６１４に切り欠き８１１が形成されている点を除いて、フック部材６１０Ａと同一の構造を有している。【０１３５】
さらに、図２０（Ｂ）に示すように、本実施形態における傾斜バー１１０には、その側縁において、リング部材６１４の切り欠き８１１が通過可能な凸部８１２が形成されている。【０１３６】
通常の状態では、フック部材８１０は凸部８１２に引っ掛かり、凸部８１２よりも上方に留まっている。フック部材８１０に傘１５０を引っ掛ける場合には、リング部材６１４を回転させ、切り欠き８１１を凸部８１２の位置に合わせた後、凸部８１２よりも下方の位置にフック部材８１０を移動させることにより、以後、フック部材８１０は自重によって傾斜バー１１０を滑り落ちる。【０１３７】
このように、本実施形態に係る傘立て８００によれば、フック部材８１０の非使用時には、凸部８１２よりも上方に留めておくことができるため、水平バー６２０を有する第六の実施形態に係る傘立て６００（図１５）と同様の効果を得ることができる。
【符号の説明】
【０１３８】
１００  本発明の第一の実施形態に係る傘立て
１００Ａ  本発明の第一の実施形態の変形例に係る傘立て
１００Ｂ  本発明の第一の実施形態の変形例に係る傘立て
１１０  傾斜バー
１２１  支持バー
１２２  支持バー
１３０  ベース
２００  本発明の第二の実施形態に係る傘立て
２００Ａ  本発明の第二の実施形態の変形例に係る傘立て
３００  本発明の第三の実施形態に係る傘立て
３００Ａ  本発明の第三の実施形態の変形例に係る傘立て
３１０  追加バー
４００  本発明の第四の実施形態に係る傘立て
４５０  本発明の第四の実施形態の変形例に係る傘立て
５００  本発明の第五の実施形態に係る傘立て
５１０  ガイドバー
６００  本発明の第六の実施形態に係る傘立て
６１０  フック部材
６２０  水平バー
７１０  フック部材
８００  本発明の第八の実施形態に係る傘立て
８１０  フック部材
【図１】
2014061551.tif 000003
【図２】
2014061551.tif 000004
【図３】
2014061551.tif 000005
【図４】
2014061551.tif 000006
【図５】
2014061551.tif 000007
【図６】
2014061551.tif 000008
【図７】
2014061551.tif 000009
【図８】
2014061551.tif 000010
【図９】
2014061551.tif 000011
【図１０】
2014061551.tif 000012
【図１１】
2014061551.tif 000013
【図１２】
2014061551.tif 000014
【図１３】
2014061551.tif 000015
【図１４】
2014061551.tif 000016
【図１５】
2014061551.tif 000017
【図１６】
2014061551.tif 000018
【図１７】
2014061551.tif 000019
【図１８】
2014061551.tif 000020
【図１９】
2014061551.tif 000021
【図２０】
2014061551.tif 000022
【図２１】
2014061551.tif 000023
【図２２】
2014061551.tif 000024
【国際調査報告】
2014061551.tif 000025
2014061551.tif 000026